(57)【要約】【課題】機器への着脱が容易なアクセサリ装置を提供する。【解決手段】第１方向に延びるレールを備えたマウントに装着可能なアクセサリ装置であって、レールに沿って装着位置までスライドさせることで、第１方向以外の方向への移動が規制されるようにレールと係合可能なガイド部と、ガイド部がレールに沿ってスライド中におけるレールの軌道上に位置する突出位置と前記軌道上から退避した退避位置との間で移動可能であり、ガイド部が装着位置でレールに係合した状態においては突出位置でレールの端部に係合することでガイド部が装着位置から移動することを規制し、ガイド部がレールに沿ってスライド中においては退避位置に移動可能な爪部と、を備える。【選択図】図３
2013097171.tif 000002
【特許請求の範囲】
【請求項１】
第１方向に延びるレールを備えたマウントに装着可能なアクセサリ装置であって、
前記レールに沿って装着位置までスライドさせることで、前記第１方向以外の方向への移動が規制されるように前記レールと係合可能なガイド部と、
前記ガイド部が前記レールに沿ってスライド中における前記レールの軌道上に位置する突出位置と前記軌道上から退避した退避位置との間で移動可能であり、前記ガイド部が前記装着位置で前記レールに係合した状態においては前記突出位置で前記レールの端部に係合することで前記ガイド部が前記装着位置から移動することを規制し、前記ガイド部が前記レールに沿ってスライド中においては前記退避位置に移動可能な爪部と、
を備えたアクセサリ装置。
【請求項２】
操作されるのに応じて前記爪部を前記退避位置に移動させるスイッチを備えた、
請求項１記載のアクセサリ装置。
【発明の詳細な説明】
【技術分野】
【０００１】
ここに開示される技術は、スチルカメラ等の撮像装置に装着可能なアクセサリ装置に関する。
【背景技術】
【０００２】
スチルカメラ等の撮像装置には、その上面に各種のアクセサリ装置を装着可能なマウントが設けられたものがある。このマウントはアクセサリーシュー、ホットシュー等と呼ばれ、ストロボやビューファインダ等のアクセサリ装置を電気的、機械的に接続することが可能である。マウントは、撮像装置の前後方向にレールを備えている。アクセサリ装置側のリブをマウント側のレールに嵌め込んだ状態でスライドすることにより、アクセサリ装置はマウントに対して固定される。マウントに接続されたアクセサリ装置は、撮像装置と共に使用することができる。
【０００３】
アクセサリ装置は、マウントに対してスライドさせることで装着されるため、そのままではアクセサリ装置がマウントから脱落してしまう可能性がある。そこで従来、アクセサリ装置がマウントから容易に脱落しないようなロックの仕組みが設けられている。例えば、アクセサリ装置特許文献１に記載のマウントは、被挟持部の、挟持部材が挿入される側の端部に、挟持部材の移動を阻止するストッパを設けることで、アクセサリ装置がマウントから抜け出すのを防止することができるとしている。
【先行技術文献】
【特許文献】
【０００４】
【特許文献１】特開平９−１６６８１６号公報
【発明の概要】
【発明が解決しようとする課題】
【０００５】
しかしながら、特許文献１に記載の従来の構成では、アクセサリ装置をマウントにスライド装着した後に締付リングを回転させて締め付け固定をする必要があり、着脱に時間がかかってしまうという課題があった。
【０００６】
ここに開示される技術は、機器への着脱が容易なアクセサリ装置を提供することを目的とする。
【課題を解決するための手段】
【０００７】
ここに開示されるアクセサリ装置は、第１方向に延びるレールを備えたマウントに装着可能なアクセサリ装置であって、レールに沿って装着位置までスライドさせることで、第１方向以外の方向への移動が規制されるようにレールと係合可能なガイド部と、ガイド部がレールに沿ってスライド中におけるレールの軌道上に位置する突出位置と前記軌道上から退避した退避位置との間で移動可能であり、ガイド部が装着位置でレールに係合した状態においては突出位置でレールの端部に係合することでガイド部が装着位置から移動することを規制し、ガイド部がレールに沿ってスライド中においては退避位置に移動可能な爪部と、を備える。
【発明の効果】
【０００８】
したがって、ここに開示される技術であれば、機器への着脱が容易なアクセサリ装置を提供することができる。
【図面の簡単な説明】
【０００９】
【図１】デジタルカメラおよびビューファインダーの外観斜視図
【図２】図１のＡ−Ａ断面図
【図３】図１のＢ−Ｂ断面図
【図４】ビューファインダーの外観斜視図
【図５】ビューファインダーのロック機構を示す図
【図６】ビューファインダーの着脱の様子を示す図
【発明を実施するための形態】
【００１０】
図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１１】
なお、以下の実施形態では、被写体の画像データを取得可能な撮像装置としてデジタルカメラを、また撮像装置に装着可能なアクセサリ装置としてビューファインダーを例に挙げて説明する。以下の説明では、通常姿勢（以下、横撮り姿勢ともいう）のデジタルカメラを基準として、被写体に向かう方向を「前方」、被写体の反対に向かう方向を「後方」、鉛直上方を「上方」、鉛直下方を「下方」、被写体に正対した状態における右向きを「右方」、被写体に正対した状態における左向きを「左方」、と表現する。
【００１２】
〔デジタルカメラの構成〕
デジタルカメラ１００は、被写体の画像データを取得可能な撮像装置である。デジタルカメラ１００の上面には、ビューファインダー２００（アクセサリ装置の一例）を電気的および機械的に装着可能なシューレール１０１（取付座、マウント、ホットシューとも呼ばれる）が設けられている。図１（ａ）および図１（ｂ）に示すように、デジタルカメラ１００はカメラ本体上面を構成するトップケース１１０にビューファインダー２００を取り付け可能な金属材料を用いたシューレール１０１を有している。
【００１３】
以下、シューレール１０１について、詳細に説明する。図２は、図１（ｂ）のＡ−Ａ断面図である。シューレール１０１はレール部１０２、溝部１０３とベース１０４を有している。レール部１０２は、ベース１０４の左右両端より上方へ延び更に内側へ向かって延びた形状を有している。ベース１０４とレール部１０２により内側に溝部１０３が形成されている。
【００１４】
図３は図１（ｂ）のＢ−Ｂ断面図である。シューレール１０１は、レール部１０２Ｌの前端１０２ＬＦの上面が、トップケース１１０よりも段差Ｘだけ高くなるように配置されている。
【００１５】
〔ビューファインダーの構成〕
次にビューファインダー２００について詳細に説明する。図４（ａ）はビューファインダー２００を右上後方より見た図であり、図４（ｂ）はビューファインダー２００を左下前方より見た図である。ビューファインダー２００は背面に接眼部２５０を有している。ビューファインダー２００をデジタルカメラ１００に装着すると、デジタルカメラ１００は取得した画像データをビューファインダー２００に送る。ビューファインダー２００は、内部の液晶モニターに画像データに基づく画像を表示する。使用者は、接眼部２５０を介してビューファインダー内部の液晶モニターに映し出された被写体の画像を見ることが出来る。またビューファインダー２００は下部２００ａにベース２０４、溝部２０２、リブ２０３、ロック爪２１０を有している。また、ビューファインダー２００の側面にロック解除ボタン２２０を有している。
【００１６】
ベース２０４は、ビューファインダー下部２００ａに形成されている。
【００１７】
リブ２０３は、ベース２０４の左右両端の前端から後端にかけて左右外側に向かって延びている。
【００１８】
溝部２０２は、ビューファインダー下部２００ａ、ベース２０４、リブ２０３に囲まれたコの字状の溝として形成されている。
【００１９】
ロック爪２１０は、樹脂材料を用いた上下方向へ移動可能な部材である。ロック爪先端部２１０ａはビューファインダー下部２００ａより下方へ突出する様に配置されている。ロック爪先端部２１０ａは係合面２１０ｂと傾斜面２１０ｃを有している。傾斜面２１０ｃとは、ロック爪先端部２１０ａの前方下部が斜面で切り欠かれた傾斜面である。
【００２０】
ロック解除ボタン２２０は、左右方向へ移動可能な部材である。またロック解除ボタン２２０は、先端部２２０ａが、ビューファインダー側面２００ｂより左方へ突出する様に配置されている。
【００２１】
図５を参照して、ビューファインダー２００におけるロック機構について詳細に説明する。
【００２２】
図５（ａ）はロック機構部を前方より見た図であり、また図５（ｂ）は図５（ａ）におけるＣ−Ｃ断面図である。
【００２３】
ロック爪２１０は傾斜面２１０ｃと、先端部２１０ａの後方にレール部１０２Ｌの前端１０２ＬＦに係合する係合面２１０ｂとを有している。また、ロック爪上方には前方および後方に向けて各々１つずつ突出する突起２１０ｄを有している。
【００２４】
ロック解除ボタン２２０は、左端に先端部２２０ａを有している。また、ロック解除ボタン２２０は、右下の方向に向かって傾斜した面からなるガイドリブ２２０ｂを有している。
【００２５】
板バネ２３０は、先端部２３０ａでロック爪２１０の上面に係合し、ロック爪２１０を下方へ付勢する弾性体である。
【００２６】
コイルバネ２４０は、ロック解除ボタン２２０の右端部２２０ｃと左端部２４０ａとで接触しており、左方へロック解除ボタン２２０を付勢する弾性体である。
【００２７】
板バネ２３０の付勢により、ロック爪２１０は、可動範囲の最下端に位置している。また、コイルバネ２４０の付勢により、ロック解除ボタン２２０は、可動範囲の最左端に位置している。また、このとき、ロック爪２１０の突起２１０ｄは、ガイドリブ２２０ｂの右下端に位置している。
【００２８】
図５（ａ）において、使用者がロック解除ボタン２２０の先端部２２０ａを右方へ押圧し移動させると、傾斜面であるガイドリブ２２０ｂに突起２１０ｄがガイドされロック爪２１０が上方へ移動する。
【００２９】
また、ロック爪２１０は弾性体である板バネ２３０で下方に付勢されているが、ロック爪先端部２１０ａが上向きに押圧されるとロック爪２１０は上方へ移動する。
【００３０】
〔ビューファインダー２００の装着〕
図６は、デジタルカメラ１００にビューファインダー２００を装着する／取り外す際の様子を示す図である。
【００３１】
図６（ａ）においてデジタルカメラ１００へのビューファインダー２００の装着作業について説明する。ビューファインダー２００のリブ２０３をデジタルカメラ１００の溝部１０３に後方より係合させる際、ロック爪先端部２１０ａがレール部１０２Ｌの後端付近の上面に当接し、押圧されることによりロック爪２１０が上方へ移動する。更にビューファインダー２００のリブ２０３をデジタルカメラ１００の溝部１０３に係合させながらビューファインダー２００を前方の取付位置へ前進させる。このときロック爪先端部２１０ａはレール部１０２Ｌの上面に当接していることにより上方へ移動した状態を維持している。
【００３２】
図６（ｂ）はビューファインダー２００を取付位置まで前進させシューレール１０１に装着した状態を示す。
【００３３】
ロック爪先端部２１０ａの係合面２１０ｂがレール部１０２Ｌの前端１０２ＬＦより前方へ前進することでロック爪先端部２１０ａはレール部１０２Ｌの上面と当接しなくなる。このため、ロック爪２１０は板バネ２３０に付勢され下方へ移動して突出する。これによりロック爪２１０の係合面２１０ｂとレール部１０２Ｌの前端１０２ＬＦとが係合しビューファインダー２００が後方へ移動出来ないようロックされる。
【００３４】
〔ビューファインダー２００の取外し〕
使用者が、ロック解除ボタン２２０を右方へ押圧すると、ロック解除ボタン２２０がロック爪２１０を上方へ移動させる。これにより、ロック爪２１０の係合面２１０ｂとレール部１０２Ｌの前端１０２ＬＦとの係合が解除される。図６（ｃ）は、ロック爪２１０の係合面２１０ｂとレール部１０２Ｌの前端１０２ＬＦとが係合しない状態を示す。このときビューファインダー２００は後方へ移動可能な状態となり、使用者がロック解除ボタン２２０を右方へ押圧しながらビューファインダー２００を後方へ移動させることによりデジタルカメラ１００からビューファインダー２００を取外すことが出来る。
【００３５】
このように、ビューファインダー２００をデジタルカメラ１００に取り付ける際には、シューレール１０１のレール部１０２にビューファインダー２００のリブ２０３を係合させて取付位置まで前進させるだけで、ロック爪２１０がシューレール１０１のレール部１０２に係合してロックされる。したがって、ビューファインダー２００がデジタルカメラ１００から容易に脱落してしまうことを低減できる。また、シューレール１０１は金属で構成され、ロック爪２１０は樹脂で形成されているため、ロック爪２１０がシューレール１０１に当接しながら前進したときに、シューレール１０１を傷つけてしまう可能性を低減できる。また、シューレール１０１が特定の規格に沿った形状をとっている場合であってもデジタルカメラ１００側には特別な構成を必要とせず、簡単な構成でシューレール１０１へのロック機構を実現することができる。
【産業上の利用可能性】
【００３６】
上記の技術は、機器への着脱が容易なアクセサリ装置を提供することができるため、スチルカメラ、ビデオカメラ、スマートフォン等の電子機器に装着可能なアクセサリ装置の分野で有用である。
【符号の説明】
【００３７】
１００  デジタルカメラ
１０１  シューレール
１０２  レール部
１０２Ｌ  レール部
１０２ＬＦ  前端
１０２ＬＢ  後端
１０２Ｒ  レール部
１０３  溝部
１０３Ｌ  溝部
１０３Ｒ  溝部
１０４  ベース
１１０  トップケース
２００  ビューファインダー
２００ａ  ビューファインダー下部
２００ｂ  ビューファインダー側面
２０２  溝部
２０２Ｌ  溝部
２０２Ｒ  溝部
２０３  リブ
２０３Ｌ  リブ
２０３Ｒ  リブ
２０４  ベース
２１０  ロック爪
２１０ａ  先端部
２１０ｂ  係合面
２１０ｃ  傾斜面
２２０  ロック解除ボタン
２２０ａ  先端部
２２０ｂ  ガイドリブ
２２０ｃ  左端部
２３０  板バネ
２３０ａ  先端部
２４０  コイルバネ
２４０ａ  先端部
２５０  接眼部
【図１】
2013097171.tif 000003
【図２】
2013097171.tif 000004
【図３】
2013097171.tif 000005
【図４】
2013097171.tif 000006
【図５】
2013097171.tif 000007
【図６】
2013097171.tif 000008